(57)【要約】【課題】操作性に優れた非常用進入口の操作部構造を具備した内開き窓を提供する。【解決手段】レバーハンドルは障子の固定を三点支持にて行うものとし、非常用進入口の操作機能はサッシ外枠の外部側に設けた非常解除ボタンの下げ降ろし動作にてリンクアームを下方向に摺動することにより障子の制限付き開口、及び障子のフルオープン状態の開口ができる内開き窓とする。【選択図】図４
2017115464.tif 000002
【特許請求の範囲】
【請求項１】
外枠内に内蔵される障子の竪框に設置される外部側及び内部側のレバーハンドルは外部側及び内部側のレバーハンドルの回動によりラッチを回動して障子をサッシ外枠内の所定位置に固定する操作とレバーハンドルの回転軸に連動して上下動する上部及び下部のロットにより障子をサッシ外枠を形成する上枠並びに下枠に係合させて障子の固定を三点支持にて行う内開き窓において、
該障子を内蔵固定するサッシ外枠を形成する竪枠にはガイド箱に内蔵されスライダに一端を回転及び摺動に可能に装着したリンクアームのアームピンが装着されており、
該リンクアームの他端は前記障子の竪框に取付けられたガイド受けに設置した摺動溝に係合して回転及び摺動溝内を摺動するストッパーピンが装着されており、
前記サッシ外枠を形成する竪枠と障子の竪框はリンクアームにて懸架連繋されておりこの状態にてレバーハンドルを回動して障子を開口すると前記リンクアームがストッパーの役割を果たし障子の制限付き開口ができ、また、前記障子を内蔵し所定位置に固定するサッシ外枠には非常解除ボタンが設置されており、
該非常解除ボタンは下げ降ろし動作を行うことによりその端部が前記ガイド箱に内蔵されスライダを介してリンクアームに係合しておりリンクアームを下方向に摺動しリンクアームの他端に設けられたストッパーピンが障子の竪框に取付けられたガイド受け上の摺動溝の下部より離脱しこの状態にてレバーハンドルを回動して障子を開口すると前記リンクアームがストッパーの役割を果たさず障子はフルオープン状態に開口できることを特徴とする非常用進入口の機能を備えた内開き窓。
【請求項２】
前記障子に取付けられたレバーハンドルはラッチの回動により障子をサッシ外枠内の所定位置に固定する操作と、
該レバーハンドルの回転軸に連動して上下動する上部及び下部のロットにより障子をサッシ外枠の上枠、並びに下枠に係合させて障子の固定を三点支持にて行うものとし、
前記非常用進入口の操作機能は障子の外部側及び内部側に設けられたレバーハンドルとは別に障子を内蔵固定するサッシ外枠の外部側に設けた非常解除ボタンの下げ降ろし動作にてリンクアームを下方向に摺動することにより前記制限付き開口及びフルオープン状態の開口ができる請求項１に記載された非常用進入口の機能を備えた内開き窓。
【請求項３】
前記サッシ外枠を形成する竪枠及び障子の竪框に設置されるリンクアームは障子のレバーハンドル付近に設置することができる構成で制限付き開口時に風圧に対して強い耐風圧を有する請求項１に記載された非常用進入口の機能を備えた内開き窓。
【発明の詳細な説明】
【技術分野】
【０００１】
本発明は、通常の内開き窓と比較して外観は大きく異なることがなく、建物全体の外観に対する影響を少ないものにしながらも、操作性に優れた非常用進入口の操作機能を具備した内開き窓を提供するものである。
【背景技術】
【０００２】
オフィスビルやホテル等の中高層建物の３階以上の階の外壁には、火災時に消防隊が消火活動に使用するための非常用進入口を設けることが義務つけられており、それらの非常用進入口の形式は、
１）外開き窓に非常用進入口の機能を備えたもの、
２）内開き窓に非常用進入口の機能を備えたもの、
３）引き戸用窓に非常用進入口を備えたもの、
等が一般的である。
【０００３】
本発明は、通常の内開き窓と比較してその外観は大きく異なることがなく、建物全体の外観に対する影響を少ないものにしながらも、操作性に優れた非常用進入口の操作部機能を具備した内開き窓を提供するものであり、その操作機能は、火災時において消防隊が外部側より簡単、且つ、確実に内開き窓をフルオープン状態に開口できる非常用進入口の機能を備えており、また、通常時は、道路境界までの寸法的余裕がなくても障子を屋内側に揺動して安全を確保した制限付き開口が可能で自然換気を行うことができる内開き窓を提供できる他、該内開き窓の障子は屋内側にフルオープン状態に開口してガラスやサッシ枠の清掃や、非常用進入口操作機構のメンテナンスを行うことのできる非常用進入口の操作機能を備えた内開き窓に関するものである。
【０００４】
而して、従来の非常用進入口を兼備した内開き窓に係る考案は、実開平５―９４４７５号（以下、特許文献１と称する）が知られている。
【０００５】
上記特許文献１の考案においては、非常用進入口を通常時において換気口として好適に用いることができるようにすることを目的とした具体的な非常用進入口とその操作装置が開示されている。
【０００６】
特許文献１の考案の構成は、非常進入口の開口（１）を開閉する障子（２）に、それを閉塞位置に固定する状態と固定解除する状態とに切替え操作自在な内外のレバー状の操作具（６Ａ）、（６Ｂ）を取付け、障子（２）を途中開位置で固定並びに解除自在な開放規制手段を設け、操作具（６Ａ）、（６Ｂ）の第１固定解除位置から第２固定解除位置への操作動により開放規制手段を解除状態にさせる連繋手段を設けているものである。
【０００７】
従って、特許文献１における障子（２）の閉塞位置における固定手段（３）は、枠（２Ａ）の左右の縦枠（２ａ）のうち縦軸芯Ｙから遠い側の縦枠（２ａ）内にスライダ（３Ａ）を上下に揺動自在にガイド（３Ｂ）を介して取付け、障子（２）が閉塞位置に位置する状態での開口１周りの建具枠（４）のち竪枠（４ａ）付設の固定ストッパ（３Ｃ）に係合して障子（２）を閉塞位置に固定する一方、スライダ（３Ａ）の第２位置から第１位置への移動に伴って固定ストッパ（３Ｃ）から離脱して障子（２）の揺動を許容するローラ利用の可動ストッパ（３Ｄ）をスライダ（３Ａ）に取付けて構成されている。前記固定ストッパ（３Ｃ）及び可動ストッパ（３Ｄ）は、上下に間隔を隔てて３つづつ設けられており、固定ストッパ（３Ｃ）の可動ストッパ（３Ｄ）との当たり面（３Ｃ）は、可動ストッパ（３Ｄ）の係合移動に伴ないその可動ストッパ（３Ｄ）を内側に押圧して建具枠（４）に装着したシール（５）に枠（２Ａ），つまり、障子（２）を押付けるカム面に形成されているもので、前記操作装置は、固定手段（３）を内側から操作するためのレバー状の内部操作具（６Ａ）と外側から操作するためのレバー状の外部操作具（６Ｂ）とを固定手段（３）に連携する状態で前記縦枠（２ａ）に取付けて構成されている。
【０００８】
そして、特許文献１の考案の効果は、操作性が良く、快適な換気口として用いることができる非常用進入口と、その操作性を更に向上することができる操作性とを提供できるようにしたものであるとしており、その操作は、レバーハンドルからなる内部操作具（６Ａ）を回転操作することにより障子の枠への固定ができる固定位置Ｐ１、前記レバーハンドルを回転操作することにより障子を途中位置に固定に固定できる第１固定解除位置Ｐ２、レバーハンドルを更に回転操作することにより障子を全開位置に固定できる第２固定位置Ｐ３へと三段階の複雑な回転動作が可能であり、また、レバー状の外部操作具（６Ｂ）は、内部操作具（６Ｂ）が固定位置Ｐ１にあって固定手段（３）に連繋していない状態にあるとき、固定位置Ｐ１と開放固定位置Ｐ４との間で単独に操作揺動できるようになっていると云うものである。
【０００９】
然しながら、特許文献１の構造は、非常用進入口と内開き扉の操作装置をレバーハンドルからなる内部操作具（６Ａ）と外部操作具（６Ｂ）にまとめてしまっていることから、レバーハンドルの構造が複雑で故障し易いものであり、レバーハンドルの操作性から見ると、内部操作具（６Ａ）の操作により内開き扉の障子を安全に配慮した半開口のみならず全開口に誰でも操作できることから清掃やメンテナンスに使用する障子の全開口の操作により一般の人たちを危険にさらしてしまう欠点を有している。
【００１０】
また、特許文献１の構造は、レバーハンドルを障子の竪枠中央部付近に設置し、そのレバーハンドルの回転操作により動作する操作スライダ（３０）は障子の下枠（２ｂ）にガイド（２１）を介して設けられている構成で、前記複雑な操作をするレバーハンドルと操作スライダ（３０）は、障子の縦枠（２ａ）内に内蔵されたスライダ（３Ａ）とそのスライド方向を縦枠（２ａ）から下枠（２ｂ）に直角に変更するチェーン（２９）を介して操作スライダ（３０）に連結されていることから、レバーハンドルの操作がどうしても固くなり摩耗等により故障が多発して経年対応に応じきれない操作装置である。
【００１１】
そして、特許文献１において、固定位置Ｐ１、第１固定解除位置Ｐ２、全開位置に固定できる第２固定位置Ｐ３、及び開放固定位置Ｐ４に動作する操作スライダ（３０）とその操作スライダに一端を支持され建具枠（４）の下枠間でリンク動作を行うリンク（１９）は障子の下端部に設けられていることから、障子全体に掛かる風圧に対して非常に弱く開き扉のリンク機構の位置は開き扉を開口固定した際に開き扉と操作装置を風圧により破損させてしまう危険性を有している。
【先行技術文献】
【特許文献】
【００１２】
【特許文献１】実開平５−９４４７５
【発明の概要】
【発明が解決しようとする課題】
【００１３】
本発明は、通常の内開き窓と比較してその外観は大きく異なることがなく、建物全体の外観に対する影響を少ないものにしながらも、操作性に優れた非常用進入口の操作部機能を具備した内開き窓を提供するものであり、その操作機能は、火災時において消防隊が外部側より簡単、且つ、確実に内開き窓をフルオープン状態に開口できる非常用進入口の機能を備えており、また、通常時は、道路境界までの寸法的余裕がなくても障子を屋内側に揺動して安全を確保した制限付き開口が可能で自然換気を行うことができる内開き窓を提供できる他、該内開き窓の障子は屋内側にフルオープン状態に開口してガラスやサッシ枠の清掃や、非常用進入口操作機構のメンテナンスを行うことのできる非常用進入口の操作機能を備えた内開き窓を提供するものである。
【００１４】
本発明は、通常時、一般の人たちは、建物内部より内開き窓の内部側よりレバーハンドルの９０度回動操作により開口ができ、該レバーハンドルの動作とは別に作動するリンクアーム機構により、安全を確保した制限付き開口が可能で自然換気を行うことができる内開き窓を提供するものである。
【００１５】
また、本発明において、障子に取付けられたレバーハンドルは、レバーハンドル本来の動作、及び役割に徹してラッチの回動により障子を外枠内の所定位置に固定する操作と、レバーハンドルの回転軸に連動して上下動する上部及び下部のロットにより障子を外枠の上枠、並びに下枠に係合させて障子の固定を三点支持にて行い、非常用進入口の操作機能は障子の外部側及び内部側に設けられたレバーハンドルとは別に障子を内蔵固定するサッシ外枠に設けた非常解除ボタンの下げ降ろし動作にて行う簡単、且つシンプルな機構を有する非常用進入口の操作機能を備えた内開き窓を提供するものである。
【００１６】
そして、本発明における障子の制限付き開口、及びフルオープン開口動作を行うリンクアーム機構は、前記非常解除ボタンに連繋し障子の竪框とサッシ外枠を形成する竪枠間に回転動作するリンクアームを懸架連繋して設けており、該リンクアームの設置位置は、従来装置のようにレバーハンドルの操作によりスライダ（３Ａ）と直角に変更するチェーン（２９）を介して操作スライダ（２１）、そしてリンク装置に連繋された長いストロークを有した下枠及び下框部分に設けるものではなく、サッシ外枠を形成する竪枠に一端を上下動と回動可能に取付けられたリンクアーム、該リンクアームの他端で障子の竪框に設けられた摺動溝に係合して回転及び摺動溝内を摺動し、場合により竪枠との連繋が解除される機能を有するリンクアームを直接設置することにより簡単、且つ、確実に内部側からのみの制限付き開口ができ、また、簡単、且つ、確実に外部側より内開き窓をフルオープン状態に開口できる非常用進入口の機能を備えた内開き窓を提供するものである。
【００１７】
更に、本発明におけるリンクアーム機構は、少なくともレバーハンドルの付近に設置することができる構成で、障子の下端部に設けられた従来装置に比較して、障子の中央部付近に内開き窓用のリンクアーム機構を設けることが可能で制限付き開口時における風圧に対して非常に強い内開き窓を提供するものである。
【００１８】
尚、本発明の非常用進入口の機能を備えた内開き窓は、当然のことながら、非常用進入口の使用後やガラスやサッシ枠の清掃、そして非常用進入口操作機構のメンテナンス時に内部側より管理責任者等が専用冶具を用いて障子の制限付き開口をフルオープン状態に開口したり、フルオープン状態の開口から専用冶具を用いてセットすることで通常時、一般の人たち障子を開口する際に内開き扉の障子を安全に配慮した制限付き開口のみしかできない機能の内開き窓に戻すことが容易に行えるものであるが、専用冶具を用いて非常用進入口の機能を備えた内開き窓にリセットする方法は、後に作用動作を説明する中で詳説する。
【課題を解決するための手段】
【００１９】
本発明において、外枠内に内蔵される障子の竪框に設置される外部側及び内部側のレバーハンドルは外部側及び内部側のレバーハンドルの回動によりラッチを回動して障子をサッシ外枠内の所定位置に固定する操作とレバーハンドルの回転軸に連動して上下動する上部及び下部のロットにより障子をサッシ外枠を形成する上枠並びに下枠に係合させて障子の固定を三点支持にて行う内開き窓において、該障子を内蔵固定するサッシ外枠を形成する竪枠にはガイド箱に内蔵されスライダに一端を回転及び摺動に可能に装着したリンクアームのアームピンが装着されており、該リンクアームの他端は前記障子の竪框に取付けられたガイド受けに設置した摺動溝に係合して回転及び摺動溝内を摺動するストッパーピンが装着されており、前記サッシ外枠を形成する竪枠と障子の竪框はリンクアームにて懸架連繋されておりこの状態にてレバーハンドルを回動して障子を開口すると前記リンクアームがストッパーの役割を果たし障子の制限付き開口ができ、また、前記障子を内蔵し所定位置に固定するサッシ外枠には非常解除ボタンが設置されており、該非常解除ボタンは下げ降ろし動作を行うことによりその端部が前記ガイド箱に内蔵されスライダを介してリンクアームに係合しておりリンクアームを下方向に摺動しリンクアームの他端に設けられたストッパーピンが障子の竪框に取付けられたガイド受け上の摺動溝の下部より離脱しこの状態にてレバーハンドルを回動して障子を開口すると前記リンクアームがストッパーの役割を果たさず障子はフルオープン状態に開口できることを特徴とする非常用進入口の機能を備えた内開き窓を提供する。
【００２０】
本発明において、前記障子に取付けられたレバーハンドルはラッチの回動により障子をサッシ外枠内の所定位置に固定する操作と、該レバーハンドルの回転軸に連動して上下動する上部及び下部のロットにより障子をサッシ外枠の上枠、並びに下枠に係合させて障子の固定を三点支持にて行うものとし、前記非常用進入口の操作機能は障子の外部側及び内部側に設けられたレバーハンドルとは別に障子を内蔵固定するサッシ外枠の外部側に設けた非常解除ボタンの下げ降ろし動作にてリンクアームを下方向に摺動することにより障子の制限付き開口、及び障子のフルオープン状態の開口ができる非常用進入口の操作機能を備えた内開き窓を提供するものである。
【００２１】
また、本発明において、サッシ外枠を形成する竪枠及び障子の竪框に設置されるリンクアームは障子のレバーハンドル付近に設置することができる構成で制限付き開口時における風圧に対して強い耐風圧を発揮できる非常用進入口の操作機能を備えた内開き窓を提供するものである。
【発明の効果】
【００２２】
而して、本発明は、通常の内開き窓と比較してその外観は大きく異なることがなく、建物全体の外観に対する影響を少ないものにしながらも、操作性に優れた非常用進入口の操作部機能を具備した内開き窓を提供可能であり、その操作機能は、火災時において消防隊が外部側より簡単、且つ、確実に内開き窓をフルオープン状態に開口できる非常用進入口の機能を備えている。また、本発明は、通常時において、道路境界までの寸法的余裕がなくても障子を屋内側に揺動して安全を確保した制限付き開口が可能で自然換気を行うことができる内開き窓を提供できる他、該内開き窓の障子は屋内側にフルオープン状態に開口してガラスやサッシ枠の清掃や、非常用進入口操作機構のメンテナンスを行うことのできる非常用進入口の操作機能を備えた内開き窓を提供可能にするものである。
【００２３】
また、本発明の効果は、より具体的には、通常時、一般の人たちは、建物内部より内開き窓の内部側よりレバーハンドルの９０度回動操作により開口ができ、該レバーハンドルの動作とは別に作動するリンクアーム機構により、安全を確保した制限付き開口が可能で自然換気を行うことができる内開き窓を提供可能にするものである。
【００２４】
本発明において、障子に取付けられたレバーハンドルは、レバーハンドル本来の動作、及び役割に徹してラッチの回動により障子を外枠内の所定位置に固定する操作と、レバーハンドルの回転軸に連動して上下動する上部及び下部のロットにより障子を外枠の上枠、並びに下枠に係合させて障子の固定を三点支持にて行い、非常用進入口の操作機能は障子の外部側及び内部側に設けられたレバーハンドルとは別に障子を内蔵固定するサッシ外枠に設けた非常解除ボタンの下げ降ろし動作にて行う簡単、且つシンプルな機構を有する非常用進入口の操作機能を備えた内開き窓を提供可能にするものである。
【００２５】
そして、本発明における障子の制限付き開口、及びフルオープン開口動作を行うリンクアーム機構は、前記非常解除ボタンに連繋し障子の竪框とサッシ外枠を形成する竪枠間に回転動作するリンクアームを懸架連繋して設けており、該リンクアームの設置位置は、従来装置のようにレバーハンドルの操作によりスライダ（３Ａ）と直角に変更するチェーン（２９）を介して操作スライダ（２１）、そしてリンク装置に連繋された長いストロークを有した下枠及び下框部分に設けるものではなく、サッシ外枠を形成する竪枠に一端を上下動と回動可能に取付けられたリンクアーム、該リンクアームの他端で障子の竪框に設けられた摺動溝に係合して回転及び摺動溝内を摺動し、場合により竪枠との連繋が解除される機能を有するリンクアームを直接設置することにより簡単、且つ、確実に内部側からのみの制限付き開口ができ、また、簡単、且つ、確実に外部側より内開き窓をフルオープン状態に開口できる非常用進入口の機能を備えた内開き窓を提供可能にするものである。
【００２６】
更に、本発明におけるリンクアーム機構は、少なくともレバーハンドルの付近に設置することができる構成で、障子の下端部に設けられた従来装置に比較して、障子の中央部付近に内開き窓のリンクアーム機構を設けることが可能で制限付き開口時における風圧に対して非常に強い内開き窓を提供可能にするものである。
【図面の簡単な説明】
【００２７】
【図１】（Ａ）本発明の実施形態を説明する内開き窓の内観図。       （Ｂ）本発明の実施形態を説明する内開き窓の外観図。
【図２】図１（Ｂ）の外観レバーハンドル部拡大図。
【図３】（Ａ）レバーハンドル部の拡大動作説明（ラッチを外し開口可能状態）。（Ｂ）レバーハンドル部の拡大動作説明（ラッチを嵌合し閉鎖状態）。
【図４】レバーハンドル部の動作説明で制限付き開口状態を示す平断面図。
【図５】（Ａ）図４部分の側面説明図。       （Ｂ）図５（Ａ）の右側面説明図。
【図６】レバーハンドル部の動作説明でフルオープン開口状態を示す平断面図。
【図７】（Ａ）図６部分の側面説明図。       （Ｂ）図７（Ａ）の右側面説明図。
【図８】（Ａ）フルオープン開口状態時の竪枠形状説明図。（Ｂ）フルオープン開口状態時の竪框形状説明図。
【図９】（Ａ）障子のフルオープン開口状態を冶具を用いての制限付き開口状態にもどす動作図。       （Ｂ）制限付き開口状態にもどす冶具の動作図。       （Ｃ）制限付き開口状態にもどしたリンクアーム位置説明図。
【図１０】冶具を用いて建物内部側よりリンクアームの制限付き開口状態、フルオープン開口状態を作り出す操作説明図。
【発明を実施するための形態】
【００２８】
斯くして、本発明は、通常の内開き窓と比較してその外観は大きく異なることがなく、建物全体の外観に対する影響を少ないものにしながらも、操作性に優れた非常用進入口の操作部機能を具備した内開き窓を提供するものであり、その操作機能は、火災時において消防隊が外部側より簡単、且つ、確実に内開き窓をフルオープン状態に開口できる非常用進入口の機能を備えており、また、通常時は、道路境界までの寸法的余裕がなくても障子を屋内側に揺動して安全を確保した制限付き開口が可能で自然換気を行うことができる内開き窓を提供できる他、該内開き窓の障子は屋内側にフルオープン状態に開口してガラスやサッシ枠の清掃や、非常用進入口操作機構のメンテナンスを行うことのできる非常用進入口の操作機能を備えた内開き窓を提供するものである。
【００２９】
本発明は、通常時において、一般の人たちが、建物内部より内開き窓の内部側よりレバーハンドルの９０度回動操作により開口ができ、該レバーハンドルの動作とは別に作動するリンクアーム機構により、安全を確保した制限付き開口が可能で自然換気を行うことができる内開き窓を提供するものである。
【００３０】
また、本発明において、障子に取付けられたレバーハンドルは、レバーハンドル本来の動作、及び役割に徹してラッチの回動により障子を外枠内の所定位置に固定する操作と、レバーハンドルの回転軸に連動して上下動する上部及び下部のロットにより障子を外枠の上枠、並びに下枠に係合させて障子の固定を三点支持にて行い、非常用進入口の操作機能は障子の外部側及び内部側に設けられたレバーハンドルとは別に障子を内蔵固定するサッシ外枠に設けた非常解除ボタンの下げ降ろし動作にて行う簡単、且つシンプルな機構を有する非常用進入口の操作機能を備えた内開き窓を提供するものである。
【００３１】
そして、本発明における障子の制限付き開口、及びフルオープン開口動作を行うリンクアーム機構は、前記非常解除ボタンに連繋し障子の竪框とサッシ外枠を形成する竪枠間に回転動作するリンクアームを懸架連繋して設けており、該リンクアームの設置位置は、従来装置のようにレバーハンドルの操作によりスライダ（３Ａ）と直角に変更するチェーン（２９）を介して操作スライダ（３０）、そしてリンク装置に連繋された長いストロークを有した下枠及び下框部分に設けるものではなく、サッシ外枠を形成する竪枠に一端を上下動と回動可能に取付けられたリンクアーム、該リンクアームの他端で障子の竪框に設けられた摺動溝に係合して回転及び摺動溝内を摺動し、場合により竪枠との連繋が解除される機能を有するリンクアームを直接設置することにより簡単、且つ、確実に内部側からのみの制限付き開口ができ、また、簡単、且つ、確実に外部側より内開き窓をフルオープン状態に開口できる非常用進入口の機能を備えた内開き窓を提供するものである。
【００３２】
更に、本発明におけるリンクアーム機構は、少なくともレバーハンドルの付近に設置することができる構成で、障子の下端部に設けられた従来装置に比較して、障子の中央部付近に内開き窓用のリンクアーム機構を設けることが可能で制限付き開口時における風圧に対して非常に強い内開き窓を提供するものである。
【００３３】
斯くして、本発明における好ましい形態は、外枠内に内蔵される障子の竪框に設置される外部側及び内部側のレバーハンドルは外部側及び内部側のレバーハンドルの回動によりラッチを回動して障子をサッシ外枠内の所定位置に固定する操作とレバーハンドルの回転軸に連動して上下動する上部及び下部のロットにより障子をサッシ外枠を形成する上枠並びに下枠に係合させて障子の固定を三点支持にて行う内開き窓において、該障子を内蔵固定するサッシ外枠を形成する竪枠にはガイド箱に内蔵されスライダに一端を回転及び摺動に可能に装着したリンクアームのアームピンが装着されており、該リンクアームの他端は前記障子の竪框に取付けられたガイド受けに設置した摺動溝に係合して回転及び摺動溝内を摺動するストッパーピンが装着されており、前記サッシ外枠を形成する竪枠と障子の竪框はリンクアームにて懸架連繋されておりこの状態にてレバーハンドルを回動して障子を開口すると前記リンクアームがストッパーの役割を果たし障子の制限付き開口ができ、また、前記障子を内蔵し所定位置に固定するサッシ外枠には非常解除ボタンが設置されており、該非常解除ボタンは下げ降ろし動作を行うことによりその端部が前記ガイド箱に内蔵されスライダを介してリンクアームに係合しておりリンクアームを下方向に摺動しリンクアームの他端に設けられたストッパーピンが障子の竪框に取付けられたガイド受け上の摺動溝の下部より離脱しこの状態にてレバーハンドルを回動して障子を開口すると前記リンクアームがストッパーの役割を果たさず障子はフルオープン状態に開口できる非常用進入口の機能を備えた内開き窓であることが好ましい。
【００３４】
また、本発明における好ましい形態は、前記障子に取付けられたレバーハンドルはラッチの回動により障子をサッシ外枠内の所定位置に固定する操作と、該レバーハンドルの回転軸に連動して上下動する上部及び下部のロットにより障子をサッシ外枠の上枠、並びに下枠に係合させて障子の固定を三点支持にて行うものとし、前記非常用進入口の操作機能は障子の外部側及び内部側に設けられたレバーハンドルとは別に障子を内蔵固定するサッシ外枠の外部側に設けた非常解除ボタンの下げ降ろし動作にてリンクアームを下方向に摺動することにより障子の制限付き開口、及び障子のフルオープン状態の開口ができる非常用進入口の操作機能を備えていることが好ましい。
【００３５】
更にまた、本発明における、サッシ外枠を形成する竪枠及び障子の竪框間に懸架連繋に設置されるリンクアームは、障子のレバーハンドル付近に設置することができる構成で、制限付き開口時における風圧に対して強い耐風圧を前記リンクアームが発揮できる非常用進入口の操作機能を備えた内開き窓であることが好ましい。
【００３６】
而して、本発明は、通常の内開き窓と比較してその外観は大きく異なることがなく、建物全体の外観に対する影響を少ないものにしながらも、操作性に優れた非常用進入口の操作部機能を具備した内開き窓を提供可能であり、その操作機能は、火災時において消防隊が外部側より簡単、且つ、確実に内開き窓をフルオープン状態に開口できる非常用進入口の機能を備えている。また、本発明は、通常時において、道路境界までの寸法的余裕がなくても障子を屋内側に揺動して安全を確保した制限付き開口が可能で自然換気を行うことができる内開き窓を提供できる他、該内開き窓の障子は屋内側にフルオープン状態に開口してガラスやサッシ枠の清掃や、非常用進入口操作機構のメンテナンスを行うことのできる非常用進入口の操作機能を備えた内開き窓を提供可能にするものである。
【００３７】
また、本発明の効果をより具体的に供述すると、通常時、一般の人たちは、建物内部より内開き窓の内部側よりレバーハンドルの９０度回動操作により開口ができ、該レバーハンドルの動作とは別に作動するリンクアーム機構により、安全を確保した制限付き開口が可能で自然換気を行うことができる内開き窓を提供可能にするものである。
【００３８】
本発明において、障子に取付けられたレバーハンドルは、レバーハンドル本来の動作、及び役割に徹してラッチの回動により障子を外枠内の所定位置に固定する操作と、レバーハンドルの回転軸に連動して上下動する上部及び下部のロットにより障子を外枠の上枠、並びに下枠に係合させて障子の固定を三点支持にて行い、非常用進入口の操作機能は障子の外部側及び内部側に設けられたレバーハンドルとは別に障子を内蔵固定するサッシ外枠に設けた非常解除ボタンの下げ降ろし動作にて行う簡単、且つシンプルな機構を有する非常用進入口の操作機能を備えた内開き窓を提供可能にするものである。
【００３９】
そして、本発明における障子の制限付き開口、及びフルオープン開口動作を行うリンクアーム機構は、前記非常解除ボタンに連繋し障子の竪框とサッシ外枠を形成する竪枠間に回転動作するリンクアームを懸架連繋して設けており、該リンクアームの設置位置は、従来装置のようにレバーハンドルの操作によりスライダ（３Ａ）と直角に変更するチェーン（２９）を介して操作スライダ（３０）、そしてリンク装置に連繋された長いストロークを有した下枠及び下框部分に設けるものではなく、サッシ外枠を形成する竪枠に一端を上下動と回動可能に取付けられたリンクアーム、該リンクアームの他端で障子の竪框に設けられた摺動溝に係合して回転及び摺動溝内を摺動し、場合により竪枠との連繋が解除される機能を有するリンクアームを直接設置することにより簡単、且つ、確実に内部側からのみの制限付き開口ができ、また、簡単、且つ、確実に外部側より内開き窓をフルオープン状態に開口できる非常用進入口の機能を備えた内開き窓を提供可能にするものである。
【００４０】
更に、本発明におけるリンクアーム機構は、少なくともレバーハンドルの付近に設置することができる構成で、障子の下端部に設けられた従来装置に比較して、障子の中央部付近に内開き窓のリンクアーム機構を設けることが可能で制限付き開口時における風圧に対して非常に強いリンクアーム機構を有する内開き窓を提供可能にするものである。
【実施例】
【００４１】
図１乃至図３において、図１（Ａ）は、本発明の実施形態を説明する内開き窓の内観図、図１（Ｂ）は、本発明の実施形態を説明する内開き窓の外観図を示しており、図２は、図１（Ｂ）の外観レバーハンドル部拡大図。
図３（Ａ）は、レバーハンドル部の拡大動作説明でレバーハンドルを固定位置より９０度回動してラッチを外枠より外し障子が開口可能状態にあり、図３（Ｂ）は、レバーハンドルを障子の固定位置に戻しラッチを外枠に嵌合して障子が閉鎖されている状態を示している。
【００４２】
次に、図４乃至図８は、動作状態説明図であり、図４は、レバーハンドル部の動作説明で制限付き開口状態を示す平断面図、図５（Ａ）は、図４部分の側面説明図、図５（Ｂ）は、図５（Ａ）の右側面説明図で共に制限付き開口状態の動作を説明するものである。そして、図６は、レバーハンドル部の動作説明でフルオープン開口状態を示す平断面図、図７（Ａ）は、図６部分の側面説明図、図６（Ｂ）は、図７（Ａ）の右側面説明図であり、図８（Ａ）は、フルオープン開口状態時の竪枠形状説明図、図８（Ｂ）は、フルオープン開口状態時の竪框形状説明図を夫々示している。
【００４３】
図１乃至図３おいて、サッシ外枠１を形成する部材は竪枠２ａ、２ｂと上枠３、下枠４により構成され、該サッシ外枠１内には両サイドの竪框５ａと５ｂ、上框６、及び下框７にてガラス８等を支持した障子９が内蔵固定されている。そして、障子９の竪框５ａには内レバーハンドル１０及び外レバーハンドル１１が設置されており、該内レバーハンドル１０と外レバーハンドル１１の回動軸１２（図３に記載）により連動可能に障子９の外部側１３及び内部側１４に設置されている内開き窓が構成されている。
【００４４】
また、図１（Ａ）に破線にて示した１５ａは上部ロット、１５ｂは下部ロットであり、上部ロット１５ａ、下部ロット１５ｂは、内レバーハンドル１０、外レバーハンドル１１の回動で上下動し、内レバーハンドル１０、外レバーハンドル１１が、図１（Ａ）（Ｂ）の状態で障子９がサッシ外枠１内に内蔵されている場合には、内レバーハンドル１０、外レバーハンドル１１は、レバーハンドル本来の動作、及び役割に徹してラッチ１６（図３に記載）の回動により障子９を外枠１内で竪枠２ａの所定位置に固定する操作と、内レバーハンドル１０、外レバーハンドル１１の回転軸１２に連動して上下動する上部ロット１５ａ及び下部ロット１５ｂにより障子９をサッシ外枠１の上枠３、並びにサッシ外枠１の下枠４に係合させて障子９の固定を三点支持にて行い、内開き窓の非常用進入口の操作機能は、障子９の外部側１３及び内部側１４に設けられた内レバーハンドル１０、外レバーハンドル１１とは別に障子９を内蔵固定するサッシ外枠１の竪枠２ａに設けた非常解除ボタン１７の下げ降ろし動作にて行うよう構成されている。
【００４５】
そして、図４及び図５（Ａ）、（Ｂ）は、障子９の内部側１４の内レバーハンドル１０を回動操作して障子９を内開き窓の内部側に動作する状態を示しており、この場合の操作は一般の人たちが通常時、建物内部より内開き窓の内部側１４より内レバーハンドル１０を９０度回動操作により開口ができ、該内レバーハンドル１０による窓の開閉動作とは別に作動するリンクアーム１８により、安全を確保した制限付き開口が可能で、自然換気を行うことができる内開き窓を提供可能にするものである。
【００４６】
図４及び図５（Ａ）、（Ｂ）において、図１乃至図３と同一記号は同一構成要素を示しており、障子９を内蔵固定するサッシ外枠１を形成する竪枠２ａにはガイド溝１９を有するガイド箱２０に内蔵されスライダ２１に一端を回転及び摺動に可能に装着したリンクアーム１８のアームピン２２が装着されており、該リンクアーム１８の他端は前記障子９’の竪框５ａ’に取付けられたガイド受け２３に設置した摺動溝２４に係合して回転及び摺動溝２４内を摺動するストッパーピン２５が装着されている。そして、前記サッシ外枠１を形成する竪枠２ａと障子９’の竪框５ａ’は、リンクアーム１８にて懸架連繋されており、この状態にて内レバーハンドル１０’を内部側１４から回動して障子９’を開口すると前記リンクアーム１８が障子９’のストッパーの役割を果たし、障子９’は制限付き開口ができ、該開口部は一般の人たちに対して落下防止の安全を確保した開口となり、室内の自然換気が行える。
尚、リンクアーム１８の他端寄りに穿たれた２６ａ、２６ｂの孔はリンクアーム１８を操作する冶具の装着部であり、該冶具を用いて非常用進入口の機能を備えた内開き窓にリセットする方法は、後に作用動作を説明する中で詳説する。
【００４７】
斯くして、図６は、レバーハンドル部の動作説明でフルオープン開口状態を示す平断面図、図７（Ａ）は、図６部分の側面説明図、図６（Ｂ）は、図７（Ａ）の右側面説明図であり、図８（Ａ）は、フルオープン開口状態時の竪枠形状説明図、図８（Ｂ）は、フルオープン開口状態時の竪框形状説明図を夫々示している。
【００４８】
図６乃至図８において図１乃至図３と同一記号は同一構成要素を示しており、障子９を内蔵し所定位置に固定するサッシ外枠１の竪枠２ａには、非常解除ボタン１７が設置されており、該非常解除ボタン１７は下げ降ろし動作が可能に構成され、非常解除ボタン１７の端部２７は、前記ガイド箱２０に内蔵されスライダ２１を介してリンクアーム１８に係合しており、該リンクアーム１８を下方向に摺動しリンクアーム１８の他端に設けられたストッパーピン２５が障子９の竪框９に取付けられたガイド受け２３上の摺動溝２４の下部より離脱し、この状態にて窓の外部側１３より消防隊が外レバーハンドル１１を回動して障子９を開口すると前記リンクアーム１８のストッパーピン２５が摺動溝２４の下部より離脱ししているのでストッパーの役割を果たさず障子９はフルオープン状態に開口できる非常用進入口の機能を備えた内開き窓である。
【００４９】
次に図９及び図１０にて非常用進入口として消防士が用いたフルオープン開口状態を制限付き開口状態にもどす方法、または、建物の管理者が内開き窓の清掃や非常用進入口のメンテナンスの場合にフルオープン開口状態を得て清掃等が済んだ後にフルオープン開口状態を制限付き開口状態にもどす方法を説明する。前記フルオープン開口状態を制限付き開口状態にもどす方法は、その性格上部屋内側から行われるものであり、図９（Ａ）、（Ｂ）、（Ｃ）により説明する。
【００５０】
図９（Ａ）において、２ａはサッシ外枠の竪枠、２８は治具、２９ａ、２９ｂは治具に設けられた突出ピンで、該治具２８はＴ字形状をしている。操作方法は障子９（図示せず）を開けた状態で竪枠２ａの枠内側に設置されたリンクアーム１８の孔２６ａ、２６ｂに治具２８の突出ピン２９ａ、２９ｂを差し込む。
図９（Ｂ）は、リンクアーム１８の孔２６ａ、２６ｂに治具２８の突出ピン２９ａ、２９ｂを差し込んだ状態を示している。そして、障子９を閉めた状態にして治具２８を上に上げる。
図９（Ｃ）において、障子９を閉めた状態で治具２８を上に上げるとリンクアーム１８のストッパーピン２５が摺動溝２４に沿って持ち上げられ、該摺動溝２４内にストッパーピン２５が嵌合するので、リンクアーム１８を介して障子９とサッシ外枠の竪枠２ａは懸架連繋する。
従って、障子９を開けて治具２８を取り外せば、内開き窓はいつでも制限付き開口状態を維持したものになる。
【００５１】
次に図１０の動作図により冶具を用いて建物内部側よりリンクアームの制限付き開口状態をフルオープン開口状態にする操作を説明する。図１０において、２ａはサッシ外枠の竪枠、１７は非常解除ボタン、５ａは竪框、９は障子、１８はリンクアーム、２２はアームピン、２５はストッパーピン、２３はガイド受け、２４は摺動溝、２８は治具を示している。
【００５２】
而して、冶具を用いて建物内部側よりリンクアームの制限付き開口状態をフルオープン開口状態にするには、障子９を内側より開口し、竪枠２ａの枠内側に設置されたリンクアーム１８の孔２６ａ、２６ｂに治具２８の突出ピン２９ａ、２９ｂを差し込み、治具２８をＡからＢに下げながら障子９を閉め、更に治具２８を下げるとリンクアーム１８が下がりリンクアームのストッパーピン２５が摺動溝２４から外れ、外部側に設けた非常解除ボタン１７を下げ降ろした状態になり、この状態では障子９をフルオープン開口にすることができ、サッシの清掃等が内側より可能になる、
【００５３】
斯くして、本発明は、通常の内開き窓と比較してその外観は大きく異なることがなく、建物全体の外観に対する影響を少ないものにしながらも、操作性に優れた非常用進入口の操作部機能を具備した内開き窓を提供可能であり、その操作機能は、火災時において消防隊が外部側より簡単、且つ、確実に内開き窓をフルオープン状態に開口できる非常用進入口の機能を備えている。また、本発明は、通常時において、道路境界までの寸法的余裕がなくても障子を屋内側に揺動して安全を確保した制限付き開口が可能で自然換気を行うことができる内開き窓を提供できる他、該内開き窓の障子は屋内側にフルオープン状態に開口してガラスやサッシ枠の清掃や、非常用進入口操作機構のメンテナンスを行うことのできる非常用進入口の操作機能を備えた内開き窓を提供可能にするものである。
【００５４】
また、本発明の効果は、より具体的には、通常時、一般の人たちは、建物内部より内開き窓の内部側よりレバーハンドルの９０度回動操作により開口ができ、該レバーハンドルの動作とは別に作動するリンクアーム機構により、安全を確保した制限付き開口が可能で自然換気を行うことができる内開き窓を提供可能にするものである。
【００５５】
本発明において、障子に取付けられたレバーハンドルは、レバーハンドル本来の動作、及び役割に徹してラッチの回動により障子を外枠内の所定位置に固定する操作と、レバーハンドルの回転軸に連動して上下動する上部及び下部のロットにより障子を外枠の上枠、並びに下枠に係合させて障子の固定を三点支持にて行い、非常用進入口の操作機能は障子の外部側及び内部側に設けられたレバーハンドルとは別に障子を内蔵固定するサッシ外枠に設けた非常解除ボタンの下げ降ろし動作にて行う簡単、且つシンプルな機構を有する非常用進入口の操作機能を備えた内開き窓を提供可能にするものである。
【００５６】
そして、本発明における障子の制限付き開口、及びフルオープン開口動作を行うリンクアーム機構は、前記非常解除ボタンに連繋し障子の竪框とサッシ外枠を形成する竪枠間に回転動作するリンクアームを懸架連繋して設けており、該リンクアームの設置位置は、従来装置のようにレバーハンドルの操作によりスライダ（３Ａ）と直角に変更するチェーン（２９）を介して操作スライダ（２１）、そしてリンク装置に連繋された長いストロークを有した下枠及び下框部分に設けるものではなく、サッシ外枠を形成する竪枠に一端を上下動と回動可能に取付けられたリンクアーム、該リンクアームの他端で障子の竪框に設けられた摺動溝に係合して回転及び摺動溝内を摺動し、場合により竪枠との連繋が解除される機能を有するリンクアームを直接設置することにより簡単、且つ、確実に内部側からのみの制限付き開口ができ、また、簡単、且つ、確実に外部側より内開き窓をフルオープン状態に開口できる非常用進入口の機能を備えた内開き窓を提供可能にするものである。
【００５７】
更に、本発明におけるリンクアーム機構は、少なくともレバーハンドルの付近に設置することができる構成で、障子の下端部に設けられた従来装置に比較して、障子の中央部付近に内開き窓のリンクアーム機構を設けることが可能で制限付き開口時における風圧に対して非常に強い内開き窓を提供可能にするものである。
【符号の説明】
【００５８】
１  サッシ外枠
２ａ、２ｂ  竪枠
３  上枠
４  下枠
５ａ、５ｂ  竪框
６  上框
７  下框
８  ガラス
９  障子
１０  内レバーハンドル
１１  外レバーハンドル
１２  回転軸
１３  外部側
１４  内部側
１５ａ  上部ロット
１５ｂ  下部ロット
１６  ラッチ
１７  非常解除ボタン
１８  リンクアーム
１９  ガイド溝
２０  ガイド箱
２１  スライダ
２２  アームピン
２３  ガイド受け
２４  摺動溝
２５  ストッパーピン
２６ａ、２６ｂ  孔
２７  端部
２８  治具
２９ａ、２９ｂ  突出ピン
【図１】
2017115464.tif 000003
【図２】
2017115464.tif 000004
【図３】
2017115464.tif 000005
【図４】
2017115464.tif 000006
【図５】
2017115464.tif 000007
【図６】
2017115464.tif 000008
【図７】
2017115464.tif 000009
【図８】
2017115464.tif 000010
【図９】
2017115464.tif 000011
【図１０】
2017115464.tif 000012